(57)【要約】【課題】軒樋への接続が容易な樋曲がりを提供する。【解決手段】樋曲がり１は、二つの軒樋差し込み口３ａ、３ｂを有し、樋曲がり本体４に、屋外側に折曲可能な軒樋挿着片５を具備するものである。この軒樋挿着片５は、二つの軒樋差し込み口３ａ、３ｂの屋外側の側板６の端縁７と、側板６の上部端縁８を二辺とする略三角形の形状を有し、該略三角形の形状の第３の辺上に、他の部位よりも薄肉に形成されたヒンジ部９で樋曲がり本体４と連結されており、この軒樋挿着片５を、屋外側に折り曲げ、軒樋２との接続を容易にして、軒樋２との接続が完了した後は、軒樋挿着片５は、樋曲がり本体４とともに、軒樋２の屋外側の外側板１０に接着剤で固着されることとなるので、軒樋の接続が、簡易且つ簡便にでき、施工の省力化に寄与し得ることとなる。【選択図】        図１
2004176265.tif 000002
【特許請求の範囲】
【請求項１】
上部が開口してなる軒樋の側断面形状に対応する断面形状を有する二つの軒樋差し込み口を相互に略直角方向に配置してなる樋曲がりにおいて、前記軒樋差込み口が形成されている樋曲がり本体に、屋外側に折曲可能な軒樋挿着片を具備してなる樋曲がり。
【請求項２】
前記軒樋挿着片が、他の部位よりも薄肉に形成されたヒンジ部で前記樋曲がり本体に連結されたことを特徴とする請求項１記載の樋曲がり。
【発明の詳細な説明】
【０００１】
【発明の属する技術分野】
本発明は、住宅の軒樋の直角部分の連結に使用する樋曲がりに関するものである。
【０００２】
【従来の技術】
従来より、軒樋への施工を容易にする樋曲がりについては、種々提案がなされているが、例えば、特開２００１−１２３６０１号公報には、樋曲がり１の軒樋差し込み口３ａ、３ｂの屋内側の側板１１の上部端縁に傾斜片１２を設け、これに軒樋２の耳部１３が、嵌合可能な構造としたものが開示されている。しかし、このものは、図３に示すように樋曲がり１を軒樋２に接続する際に、樋曲がり本体４の外側面１４を屋外側に引っ張る必要があり、樋曲がり１が変形する等の不具合が、発生することがあった。
【０００３】
【特許文献１】
特開２００１−１２３６０１号公報  （第２頁  ［特許請求の範囲］、第２頁  段落［０００８］〜  段落［００１２］、第４頁  図１〜図５）
【０００４】
【発明が解決しようとする課題】
本発明は、上記事由に鑑みてなされたもので、その目的とするところは、軒樋への接続が容易な樋曲がりを提供することにある。
【０００５】
【課題を解決するための手段】
上記課題を解決するために、請求項１に係る樋曲がりの発明にあっては、上部が開口してなる軒樋の側断面形状に対応する断面形状を有する二つの軒樋差し込み口を相互に略直角方向に配置してなる樋曲がりにおいて、前記軒樋差込み口が形成されている樋曲がり本体に、屋外側に折曲可能な軒樋挿着片を具備してなるものである。なお、ここでいう軒樋の側断面形状とは、軒樋の長手方向に直交する断面の形状をいう。
【０００６】
請求項２に係る樋曲がりの発明にあっては、請求項１記載の樋曲がりにおいて、前記軒樋挿着片が、他の部位よりも薄肉に形成されたヒンジ部で前記樋曲がり本体に連結されたことを特徴とするものである。
【０００７】
【発明の実施の形態】
以下、本発明の実施形態を図面に基づき説明する。ここで、図１は、本発明の樋曲がりの第１の実施形態を示す図である。即ち、本実施形態の樋曲がり１では、図１に示すように、上部が開口してなる軒樋２の側断面形状に対応する断面形状を有する二つの軒樋差し込み口３ａ、３ｂを相互に略直角方向に配置してなるものであり、樋曲がり本体４に、屋外側に折曲可能な軒樋挿着片５を具備してなるものである（図１（ａ）、（ｂ））。
【０００８】
この場合、軒樋挿着片５は、前記二つの軒樋差し込み口３ａ、３ｂの屋外側の側板６の端縁７と、側板６の上部端縁８を二辺とする略三角形の形状を有し、該略三角形の形状の第３の辺上に、他の部位よりも薄肉に形成されたヒンジ部９で樋曲がり本体４と連結されており、この軒樋挿着片５を、屋外側に折り曲げ、軒樋２との接続を容易にして、軒樋２との接続が完了した後は、軒樋挿着片５は、樋曲がり本体４とともに、軒樋２の屋外側の外側板１０に接着剤で固着されることとなる。このように、軒樋挿着片５が、他の部位よりも薄肉に形成されたヒンジ部９で前記樋曲がり本体４に連結されているので、樋曲がり１の軒樋２への密着性、止水性をより確実なものにできることとなる。
【０００９】
一方、図２は、本発明の樋曲がりの第２の実施形態を示す図である。即ち、本実施形態の樋曲がり１ａでは、図２に示すように、樋曲がり本体４ａに、屋外側に折曲可能な軒樋挿着片５ａを具備してなるものであるが、（図２（ａ）、（ｂ））。この場合、軒樋挿着片５ａは、前記二つの軒樋差し込み口３ａ、３ｂの屋外側の側板６ａの端部に短冊状に形成したもので、その下端部は、他の部位よりも薄肉に形成されたヒンジ部９ａで樋曲がり本体４ａと連結されており、この軒樋挿着片５ａを、屋外側に折り曲げ、軒樋２との接続を容易にして、軒樋２との接続が完了した後は、軒樋挿着片５ａは、樋曲がり本体４ａとともに、軒樋２の屋外側の外側板１０に接着剤で固着されることとなる。
【００１０】
以上のように、本発明の樋曲がりによれば、軒樋の接続が、簡易且つ簡便にでき、施工の省力化に寄与し得ることとなる。なお、本発明の樋曲がりは、上記の実施形態にのみ限定されるものではなく、種々変更を加え得ることは勿論である。
【００１１】
【発明の効果】
以上のように、請求項１に係る樋曲がりの発明にあっては、上部が開口してなる軒樋の側断面形状に対応する断面形状を有する二つの軒樋差し込み口を相互に略直角方向に配置してなる樋曲がりにおいて、前記軒樋差込み口が形成されている樋曲がり本体に、屋外側に折曲可能な軒樋挿着片を具備してなるので、軒樋の接続が、簡易且つ簡便にでき、施工の省力化に寄与し得るという優れた効果を奏する。
【００１２】
請求項２に係る樋曲がりの発明にあっては、請求項１記載の樋曲がりにおいて、前記軒樋挿着片が、他の部位よりも薄肉に形成されたヒンジ部で前記樋曲がり本体に連結されたことを特徴とするので、請求項１に係る樋曲がりの発明の効果に加えて、樋曲がりの軒樋への密着性、止水性をより確実なものにできるという優れた効果を奏する。
【図面の簡単な説明】
【図１】本発明の樋曲がりの第１の実施形態を示すもので、（ａ）は、軒樋との接続前の状態、（ｂ）は、軒樋２との接続後の状態を示す概略図である。
【図２】本発明の樋曲がりの第１の実施形態を示すもので、（ａ）は、軒樋との接続前の状態、（ｂ）は、軒樋２との接続後の状態を示す概略図である。
【図３】従来例に係る樋曲がりを示す概略図である。
【符号の説明】
１      樋曲がり
２      軒樋
３      軒樋差し込み口
３ａ    軒樋差し込み口
３ｂ    軒樋差し込み口
４      樋曲がり本体
４ａ    樋曲がり本体
５      軒樋挿着片
５ａ    軒樋挿着片
６      側板［屋外側］（軒樋差し込み口３ａ、３ｂ）
６ａ    側板［屋外側］（軒樋差し込み口３ａ、３ｂ）
７      端縁（側板６）
８      上部端縁
９      ヒンジ部
９ａ    ヒンジ部
１０      外側板
１１      側板［屋外側］（軒樋差し込み口３ａ、３ｂ）
１２      傾斜片（側板１１）
１３      耳部（軒樋２）
１４      外側面（樋曲がり本体４）
【図１】
2004176265.tif 000003
【図２】
2004176265.tif 000004
【図３】
2004176265.tif 000005